(57)【要約】【課題】大幅な設計変更などを必要とすることなく、各種サイズのシリンジのピストン部材を保持できる薬液注入装置を提供する。【解決手段】スライド自在なピストン押圧部材１１２がシリンジ２００のピストン部材２０２に後方から当接し、ピストン押圧部材１１２に開閉自在に装着されている一対の係合爪１３が最大サイズのピストンフランジ２０４を左右から保持する。ピストン押圧部材１１２にピストンアダプタ１２０が装着されると、そのピストンアダプタ１２０の回動自在な補助爪１２６が係合爪では保持されないサイズのピストンフランジ２０４に上方から係合するので、各種サイズのシリンジ２００のピストン部材２０２をピストン押圧部材１１２に保持できる。【選択図】　図１
2004121467.tif 000002
【特許請求の範囲】
【請求項１】
シリンダフランジが末端外周に形成されているシリンダ部材にピストンフランジが末端外周に形成されているピストン部材がスライド自在に挿入されているシリンジの少なくとも前記シリンダフランジと前記ピストンフランジとを別個に保持して相対移動させる薬液注入装置であって、
前記シリンジは複数のサイズがあり、
上面に形成されている凹部で前記シリンダ部材を長手方向が前後方向となる状態で保持するシリンダ保持部材と、
前後方向にスライド自在に支持されていて前記ピストン部材に後方から当接するピストン押圧部材と、
このピストン押圧部材に左右方向に開閉自在に装着されていて少なくとも最大サイズの前記ピストンフランジの前面の左部と右部とに個々に係合する一対の係合爪と、
前記ピストン押圧部材に上下方向に回動自在に装着されていて少なくとも前記係合爪で保持されないサイズの前記ピストンフランジの前面の上部に係合する補助爪と、
を有している薬液注入装置。
【請求項２】
シリンダフランジが末端外周に形成されているシリンダ部材にピストンフランジが末端外周に形成されているピストン部材がスライド自在に挿入されているシリンジの少なくとも前記シリンダフランジと前記ピストンフランジとを別個に保持して相対移動させる薬液注入装置であって、
前記シリンジは複数のサイズがあり、
上面に形成されている凹部で前記シリンダ部材を長手方向が前後方向となる状態で保持するシリンダ保持部材と、
前後方向にスライド自在に支持されていて前記ピストン部材に後方から当接するピストン押圧部材と、
このピストン押圧部材に左右方向に開閉自在に装着されていて少なくとも最大サイズの前記ピストンフランジの前面の左部と右部とに個々に係合する一対の係合爪と、
上下方向に回動自在で少なくとも前記係合爪で保持されないサイズの前記ピストンフランジの前面の上部に係合する補助爪が設けられていて前記ピストン押圧部材に着脱自在に装着されるピストンアダプタと、
を有している薬液注入装置。
【請求項３】
前記ピストン押圧部材が前後方向にスライド自在なスライドロッドの前端に設けられおり、
前記ピストンアダプタの後部に前記スライドロッドを弾発的に保持する保持アームが一体に形成されており、
前記ピストンアダプタの前部に前記係合爪で保持される保持部が一体に形成されている請求項２に記載の薬液注入装置。
【請求項４】
前記補助爪を下方に回動した位置で弾発的に保持する位置保持機構が前記ピストン押圧部材に形成されている請求項１に記載の薬液注入装置。
【請求項５】
前記補助爪を下方に回動した位置で弾発的に保持する位置保持機構が前記ピストンアダプタに形成されている請求項２または３に記載の薬液注入装置。
【請求項６】
最大サイズの前記シリンジと同等な外形に形成されていて少なくとも前記係合爪で保持されないサイズの前記シリンジが個々に着脱自在に装着される複数種類のシリンダアダプタを有しており、
前記シリンダ保持部材は、前記凹部に最大サイズの前記シリンジのシリンダ部材と前記シリンダアダプタとが同様に配置される請求項１ないし５の何れか一項に記載の薬液注入装置。
【請求項７】
請求項２に記載の薬液注入装置のピストンアダプタであって、
前記ピストン押圧部材に着脱自在に装着されるアダプタ本体と、
このアダプタ本体に上下方向に回動自在に装着されていて少なくとも前記係合爪で保持されないサイズの前記ピストンフランジの前面の上部に係合する補助爪と、
を有しているピストンアダプタ。
【請求項８】
前記アダプタ本体の後部に前記スライドロッドを弾発的に保持する保持アームが一体に形成されており、
前記アダプタ本体の前部に前記係合爪で保持される保持部が一体に形成されている請求項７に記載のピストンアダプタ。
【請求項９】
前記補助爪を下方に回動した位置で弾発的に保持する位置保持機構が前記アダプタ本体に形成されている請求項７または８に記載のピストンアダプタ。
【発明の詳細な説明】
【０００１】
【発明の属する技術分野】
本発明は、シリンジから被験者に薬液を注入する薬液注入装置に関し、特に、シリンジのシリンダ部材とピストン部材とを別個に保持して相対移動させる薬液注入装置に関する。
【０００２】
【従来の技術】
現在、医療現場で利用されているＣＴ（Ｃｏｍｐｕｔｅｄ　Ｔｏｍｏｇｒａｐｈｙ）スキャナは、レントゲン撮影の応用により被験者の断層画像を撮像することができ、ＭＲＩ（Ｍａｇｎｅｔｉｃ　Ｒｅｓｏｎａｎｃｅ　Ｉｍａｇｉｎｇ）装置は、磁気共鳴効果により被験者の断層画像をリアルタイムに撮像することができ、アンギオ装置は、レントゲン撮影の応用により被験者の血管画像を撮像することができる。
【０００３】
上述のような装置を使用するとき、被験者に造影剤や生理食塩水などの薬液を注入することがあり、この注入を自動的に実行する薬液注入装置も実用化されている（例えば、特許文献１，２参照）。
【０００４】
【特許文献１】
特開２００２−１１０９６号　（第２−３頁、第１１−１４図）
【特許文献２】
特開２００２−１０２３４３号　（第２−３頁、第８図）
【０００５】
ここで、このような薬液注入装置の一従来例を図８および図９を参照して以下に説明する。まず、図８に示すように、シリンジ１０は、１個のシリンダ部材１１と１個のピストン部材１２からなり、シリンダ部材１２は、末端面に開口した１個の穴部１３が内部に形成されている。
【０００６】
シリンダ部材１１の先端面は閉塞されて中央に中空の導管部１４が形成されており、この導管部１４の先端まで穴部１３が連通している。このシリンダ部材１１の穴部１３にピストン部材１２がスライド自在に挿入されており、このピストン部材１２とシリンダ部材１１との末端外周には、ピストンフランジ１５とシリンダフランジ１６とが各々形成されている。
【０００７】
なお、薬液注入装置２０に装着されるシリンジ１０は複数種類があり、その複数種類のシリンジ１０は各部のサイズや形状が相違している。より詳細には、シリンジ１０には、薬品が充填されて出荷されるプレフィルドタイプと、現場で作業者が所望の薬品を充填するノンプレフィルドタイプがある。そして、ノンプレフィルドタイプのシリンジ１０は最大サイズに形成されており、プレフィルドタイプのシリンジ１０は最大以外のサイズに形成されている。
【０００８】
そして、薬液注入装置２０は、シリンダ保持部材である１個の注入ヘッド２１と２個のピストン駆動機構２２とを有しており、１個の注入ヘッド２１には、２個のシリンジ１０のシリンダ部材１１を個々に保持する２個の凹部２３が形成されている。この２個の凹部２３の各々の後方に２個のピストン駆動機構２２が個々に配置されており、これらのピストン駆動機構２２はシリンジ１０のピストン部材１２を保持してスライド移動させる。
【０００９】
より詳細には、図９に示すように、ピストン駆動機構２２は、前後方向にスライド自在なスライドロッド２５を有しており、このスライドロッド２５の前端に、ピストン部材１２に後方から当接するピストン押圧部材２６が一体に形成されている。
【００１０】
このピストン押圧部材２６には、左右方向に開閉自在な一対の係合爪２７が装着されており、これらの係合爪２７がピストンフランジ１５の前面の左部と右部とに個々に係合する。また、前述のようにシリンジ１０は複数種類があるので、薬液注入装置２０には、最大以外のサイズのシリンジ１０ごとにシリンダアダプタ２８が用意されている。
【００１１】
このシリンダアダプタ２８は、最大サイズのシリンジ１０のシリンダ部材１１と同等な外形に形成されており、その末端外周には最大サイズのシリンジ１０のシリンダフランジ１５と同一形状のアダプタフランジ２９が形成されている。注入ヘッド２１の凹部２３には、最大サイズのシリンジ１０のシリンダ部材１１とシリンダアダプタ２８とが同様に配置され、シリンダアダプタ２８には、その凹部３０に対応するサイズのシリンジ１０のシリンダ部材１１が配置される。
【００１２】
上述のような構成において、この従来例の薬液注入装置２０では、２個のシリンジ１０から２種類の薬液を被験者に注入することができるので、例えば、ＣＴスキャナにより断層画像が撮像される被験者に造影剤を注入してから生理食塩水を注入するようなことができる。
【００１３】
また、前述のようにシリンジ１０には複数のサイズがあるが、最大サイズのシリンジ１０は注入ヘッド２１に直接に装着され、最大以外のサイズのシリンジ１０は各々に専用のシリンダアダプタ２８を介して注入ヘッド２１に装着されるので、薬液注入装置２０は各種サイズのシリンジ１０を使用することができる。
【００１４】
前述のようにノンプレフィルドタイプのシリンジ１０は最大サイズに形成されているので、そのピストンフランジ１６は薬液注入装置２０のピストン駆動機構２２に係合爪２７で保持される。このため、薬液注入装置２０はノンプレフィルドタイプのシリンジ１０のピストン部材１２を後退させることで、シリンジ１０に薬液を吸引させることもできる。
【００１５】
なお、プレフィルドタイプのシリンジ１０は最大以外のサイズに形成されているので、薬液注入装置２０は、プレフィルドタイプのシリンジ１０のピストンフランジ１６をピストン駆動機構２２の係合爪２７で保持することはできない。しかし、前述のようにプレフィルドタイプのシリンジ１０は出荷時に薬液が充填されているので、薬液注入装置２０でピストン部材１２を後退させる必要がない。
【００１６】
【発明が解決しようとする課題】
上述の薬液注入装置２０は各種サイズのシリンジ１０を利用することができ、特に、最大以外のサイズのプレフィルドタイプのシリンジ１０では薬液を被験者に注入させることができ、最大サイズのノンプレフィルドタイプのシリンジ１０では薬液を被験者に注入させるとともに薬液を外部タンクなどから吸引させることもできる。
【００１７】
しかし、実際の現場では、最大以外のサイズのプレフィルドタイプのシリンジ１０でも薬液の吸引が必要なことがある。例えば、薬液注入装置２０でシリンジ１０から被験者に薬液を注入する場合でも、延長チューブが被験者の血管に適切に装着されているかを確認するためにシリンジ１０に薬液を吸引させることがある。
【００１８】
また、最大サイズのノンプレフィルドタイプのシリンジ１０と最大以外のサイズのプレフィルドタイプのシリンジ１０とを薬液注入装置２０に装着し、その２個のシリンジ１０を二股の延長チューブで被験者に連結することもある。このような場合、最大サイズのシリンジ１０で薬液を吸引して延長チューブが被験者に適切に装着されているかを確認できるが、最大以外のサイズのシリンジ１０はピストン部材１２がピストン押圧部材２２に保持されていないので薬液が負圧により延長チューブに引き出され、２種類の薬液が混ざることがある。
【００１９】
上述の課題を解決するためには、薬液注入装置２０の係合爪２７を大型化し、その可動範囲も拡大して全部のサイズのピストンフランジ１６を保持することが想定できる。しかし、この場合は薬液注入装置２０の全体も左右に大型化する必要が発生するので、薬液注入装置２０を大幅に設計変更する必要がある。
【００２０】
また、上述のように各種サイズのシリンジ１０を使用できる薬液注入装置２０は本出願人により実際に市販されており、その薬液注入装置２０を使用する現場では、その薬液注入装置２０を使用したまま最大以外のサイズのシリンジ１０のピストン部材１２を保持できることが要望されている。
【００２１】
本発明は上述のような課題に鑑みてなされたものであり、最大以外のサイズのシリンジでもピストン部材を保持できる薬液注入装置を提供することを目的とする。
【００２２】
【課題を解決するための手段】
本発明の第１の薬液注入装置は、シリンダ保持部材、ピストン押圧部材、係合爪、補助爪、を有しており、複数種類のシリンジの少なくともシリンダフランジとピストンフランジとを別個に保持して相対移動させる。シリンダ保持部材は、上面に形成されている凹部でシリンダ部材を長手方向が前後方向となる状態で保持し、ピストン押圧部材は、前後方向にスライド自在に支持されていてピストン部材に後方から当接する。係合爪は、一対がピストン押圧部材に左右方向に開閉自在に装着されていて少なくとも最大サイズのピストンフランジの前面の左部と右部とに個々に係合し、補助爪は、ピストン押圧部材に上下方向に回動自在に装着されていて少なくとも係合爪で保持されないサイズのピストンフランジの前面の上部に係合する。
【００２３】
本発明の第２の薬液注入装置は、シリンダ保持部材、ピストン押圧部材、係合爪、ピストンアダプタ、を有しており、このピストンアダプタは、上下方向に回動自在で少なくとも係合爪で保持されないサイズのピストンフランジの前面の上部に係合する補助爪が設けられていてピストン押圧部材に着脱自在に装着される。
【００２４】
従って、本発明の第１および第２の薬液注入装置では、最大サイズのピストンフランジは一対の係合爪でピストン押圧部材に保持され、少なくとも係合爪で保持されないサイズのピストンフランジは補助爪でピストン押圧部材に保持されるので、各種サイズのシリンジのピストン部材がピストン押圧部材に保持される。
【００２５】
なお、本発明では前後左右上下の方向を言及しているが、これは方向の相対関係を簡単に説明するために便宜的に規定したものであり、本発明を実施する装置の製造時および使用時の方向を限定するものではない。
【００２６】
【発明の実施の形態】
本発明の実施の一形態を図１ないし図７を参照して以下に説明する。図４に示すように、本実施の形態の薬液注入装置１００は、ＭＲＩ装置３００の近傍での使用を想定して形成されており、図３に示すように、シリンダ保持部材である注入ヘッド１０１が装置本体１０２にアーム１０３で装着されており、その装置本体１０２はスタンド１０４の上端に装着されている。
【００２７】
この注入ヘッド１０１は、図２に示すように、上面にＵ字状の断面形状の凹部１０６が形成されており、この凹部１０６にシリンジ２００が直接またはシリンダアダプタ１０７を介して着脱自在に装着される。より詳細には、本形態でもシリンジ２００として各種サイズが用意されているが、そのシリンジ２００のサイズごとに専用のシリンダアダプタ１０７が用意されている。
【００２８】
シリンジ２００は、シリンダ部材２０１とピストン部材２０２からなり、シリンダ部材２０１にピストン部材２０２がスライド自在に挿入されている。シリンダ部材２０１の末端外周にはシリンダフランジ２０３が形成されており、ピストン部材２０２の末端外周にはピストンフランジ２０４が形成されている。
【００２９】
シリンダアダプタ１０７は、外形が最大サイズのシリンジ２００のシリンダ部材２０１と同等に形成されており、内側には対応するサイズのシリンジ２００のシリンダ部材２０１を保持する凹部１０８が形成されているので、本形態の薬液注入装置１００では、最大以外のサイズのシリンジ２００は専用のシリンダアダプタ１０７により注入ヘッド１０１に装着される。
【００３０】
また、注入ヘッド１０１の凹部１０６の後方には、例えば、超音波モータ（図示せず）を駆動源としたシリンダ駆動機構が形成されており、このシリンダ駆動機構のスライド自在なスライドロッド１１１の前端にピストン押圧部材１１２が一体に形成されている。このピストン押圧部材１１２には、左右方向に開閉自在な一対の係合爪１１３が装着されており、これらの係合爪１１３がピストンフランジ２０４の前面の左部と右部とに個々に係合する。
【００３１】
さらに、本形態の薬液注入装置１００では、図１および図５および図６に示すように、注入ヘッド１０１とは別体のピストンアダプタ１２０も用意されており、このピストンアダプタ１２０が注入ヘッド１０１のピストン押圧部材１１２に着脱自在に装着される。
【００３２】
ピストンアダプタ１２０は、ピストン押圧部材１１２の上面に対応した形状のアダプタ本体１２１を有しており、このアダプタ本体１２１に保持部１２２および保持アーム１２３が一体に形成されている。保持部１２２は一対がアダプタ本体１２１の前部左右から下方に突出しており、ピストン押圧部材１１２の係合爪１１３で保持される。保持アーム１２３は、一対がアダプタ本体１２１の後部左右から下方に突出しており、ピストン押圧部材１１２と一体のスライドロッド１１１を弾発的に保持する。
【００３３】
アダプタ本体１２１の上面後部にはヒンジ部１２４が一体に形成されており、アダプタ本体１２１の上面前部には位置保持機構である把持部１２５が一体に形成されている。このアダプタ本体１２１のヒンジ部１２４で補助爪１２６が上下方向に回動自在に軸支されており、下方に回動した補助爪１２６を把持部１２５が弾発的に保持する。
【００３４】
この補助爪１２６は爪本体１２７に対して爪前部１２８が下方に曲折したＬ字型に形成されており、爪本体１２７が下方に回動した保持位置では爪前部１２８がピストンフランジ２０４の前面の上部に係合し、爪本体１２７が上方に回動した退避位置では爪前部１２８がピストンフランジ２０４から離反する。
【００３５】
爪前部１２８の後面は粗面に形成されており、ピストンフランジ２０４の前面に対して高い摩擦抵抗を発生する。爪本体１２７の前端には凸部１２９が形成されており、この凸部１２９には補助爪１２６を上下させる手指（図示せず）が良好に係合する。
【００３６】
なお、ピストンアダプタ１２０で保持される最大以外のサイズのシリンジ２００のピストンフランジ２０４にも各種サイズおよび各種形状が存在するが、図７に示すように、ピストンアダプタ１２０は最大以外のサイズの全部のピストンフランジ２０４を保持できるように形成されている。
【００３７】
ピストンアダプタ１２０のアダプタ本体１２１と補助爪１２６とは、例えば、弾発性が良好なＡＢＳ（Ａｃｒｙｌｏｎｉｔｒｉｌｅ　Ｂｕｔａｄｉｅｎｅ　Ｓｔｙｒｅｎｅ）樹脂で形成されており、補助爪１２６はアダプタ本体１２１のヒンジ部１２４に弾発的に装着されている。
【００３８】
なお、本実施の形態の薬液注入装置１００は、図４に示すように、ＭＲＩ装置３００の撮像ユニット３０１の近傍で使用され、必要によりＭＲＩ装置３００の制御ユニット３０２に接続される。この制御ユニット３０２はコンピュータシステムからなり、撮像ユニット３０１を動作制御するとともに断層画像を表示する。
【００３９】
［実施の形態の動作］
上述のような構成において、本実施の形態の薬液注入装置１００では、最大サイズのシリンジ２００を使用するときは、注入ヘッド１０１にシリンダアダプタ１０７およびピストンアダプタ１２０を装着せず、図１に示すように、最大以外のサイズのシリンジ２００を使用するときは、注入ヘッド１０１にシリンダアダプタ１０７およびピストンアダプタ１２０を装着する。
【００４０】
より詳細には、最大サイズのシリンジ２００を使用する場合、ピストン押圧部材１１２を所定位置まで後退させておき、シリンジ２００を注入ヘッド１０１に装着すると、シリンダ部材２０１およびシリンダフランジ２０３が注入ヘッド１０１の凹部１０６に保持される。つぎに、ピストン押圧部材１１２をピストン部材２０２に当接する位置まで前進させると、ピストン押圧部材１１２の係合爪１１３でピストン部材２０２のピストンフランジ２０４が保持されることになる。
【００４１】
このような状態では、注入ヘッド１０１のピストン押圧部材１１２とともにシリンジ２００のピストン部材２０２をスライドさせることができるので、例えば、シリンジ２００のシリンダ部材２０１から被験者（図示せず）に薬液を注入することができ、反対に薬液を吸引することもできる。
【００４２】
また、最大以外のサイズのシリンジ２００を使用する場合には、図２に示すように、そのシリンジ２００に対応したサイズのシリンダアダプタ１０７を注入ヘッド１０１の凹部１０６に装着し、図５および図６に示すように、注入ヘッド１０１のピストン押圧部材１１２にピストンアダプタ１２０を装着する。
【００４３】
このとき、ピストンアダプタ１２０の後部の保持アーム１２３がスライドロッド１１１を保持するとともに前部の保持部１２２が係合爪１１３で保持されるので、ピストンアダプタ１２０はピストン押圧部材１１２の上面に弾発的に装着される。
【００４４】
このような状態でシリンジ２００を注入ヘッド１０１に装着するときは、ピストン押圧部材１１２を所定位置まで後退させておき、ピストンアダプタ１２０の補助爪１２６を上方の退避位置まで回動させておく。そして、シリンジ２００を注入ヘッド１０１に装着すると、そのシリンダ部材２０１およびシリンダフランジ２０３がシリンダアダプタ１０７の凹部１０８に保持される。
【００４５】
つぎに、図１（ａ）に示すように、ピストン押圧部材１１２をピストン部材２０２に当接する位置まで前進させ、図１（ｂ）に示すように、ピストンアダプタ１２０の補助爪１２６を下方の保持位置まで回動させて把持部１２５に保持させると、その補助爪１２６でピストンフランジ２０４が保持される。
【００４６】
このような状態では、注入ヘッド１０１のピストン押圧部材１１２とともにシリンジ２００のピストン部材２０２をスライドさせることができるので、例えば、シリンジ２００のシリンダ部材２０１から被験者に薬液を注入することができ、反対に薬液を吸引することもできる。
【００４７】
［実施の形態の効果］
本実施の形態の薬液注入装置１００では、最大以外のサイズのシリンジ２００のためにシリンダアダプタ１０７およびピストンアダプタ１２０が用意されているので、様々な外形の各種サイズのシリンジ２００を注入ヘッド１０１に一様に装着することができる。
【００４８】
特に、本形態の薬液注入装置１００では、最大以外のサイズのシリンジ２００のピストン部材２０２をピストンアダプタ１２０によりピストン押圧部材１１２に保持させることができるので、最大以外のサイズのシリンジ２００でも薬液を吸引させることができる。
【００４９】
それでいて、本形態の薬液注入装置１００は、ピストンアダプタ１２０以外の構成は従来の一般に市販されている製品と同一なので、従来の薬液注入装置を使用している現場では、ピストンアダプタ１２０のみ購入すれば最大以外のサイズのシリンジ２００に薬液を吸引させることが可能となる。
【００５０】
しかも、本形態の薬液注入装置１００では、１個のピストンアダプタ１２０で最大以外の各種サイズのシリンジ２００のピストン部材２０２を保持できるので、シリンジ２００のサイズごとにピストンアダプタ１２０を用意して交換する必要もない。
【００５１】
また、本形態のピストンアダプタ１２０では、下方の保持位置まで回動した補助爪１２６を把持部１２５で保持し、補助爪１２６が後面の粗面でピストンフランジ２０４に当接するので、ピストンフランジ２０４を良好に保持することができる。さらに、補助爪１２６の前部に形成されている凸部１２９に手指が良好に係合するので、作業者は手指で補助爪１２６を容易に上下方向に回動させることができる。
【００５２】
また、本形態のピストンアダプタ１２０では、後部にピストン押圧部材１１２のスライドロッド１１１を弾発的に保持する保持アーム１２３が一体に形成されており、前部にピストン押圧部材１１２の係合爪１１３で保持される保持部１２２が一体に形成されているので、簡単な構造でピストン押圧部材１１２に容易に着脱することができる。
【００５３】
また、本形態の薬液注入装置１００はＭＲＩ装置３００の近傍で使用するが、前述のようにピストンアダプタ１２０は全体が非磁性体であるＡＢＳ樹脂で形成されているので、ＭＲＩ装置３００の磁界に影響することがない。
【００５４】
［実施の形態の変形例］
本発明は本実施の形態に限定されるものではなく、その要旨を逸脱しない範囲で各種の変形を許容する。例えば、本形態では薬液注入装置１００をＭＲＩ装置３００の近傍で使用することを想定したが、これをＣＴスキャナやアンギオ装置の近傍で使用することも可能である。
【００５５】
また、本形態では薬液注入装置１００のピストン押圧部材１１２にピストンアダプタ１２０で補助爪１２６を追加することを例示したが、例えば、ピストンアダプタ１２０を使用することなくピストン押圧部材に補助爪が設けられていることも可能である（図示せず）。
【００５６】
この場合でも、係合爪１１３を大型化するとともに可動範囲を拡大するような大幅な設計変更は必要なく、ピストン押圧部材の上部に補助爪を追加するだけの簡単な設計変更で全部のサイズのシリンジ２００のピストン部材２０２を保持できるので好適である。
【００５７】
さらに、本形態では注入ヘッド１０１に１個のシリンジ２００が装着される構造の薬液注入装置１００を例示したが、従来例に例示したように、注入ヘッドに複数のシリンジが装着される構造の薬液注入装置（図示せず）も実施可能である（図示せず）。
【００５８】
この場合でも、複数のシリンジの全部のピストン部材がピストン押圧部材に保持されるので、例えば、複数に分岐した延長チューブで被験者に連結した複数のシリンジの一部のピストン部材を後退させても、他のシリンジから延長チューブに薬液が引き出されることがない。
【００５９】
【発明の効果】
本発明の薬液注入装置では、最大サイズのピストンフランジを一対の係合爪でピストン押圧部材に保持することができ、少なくとも係合爪で保持されないサイズのピストンフランジを補助爪でピストン押圧部材に保持することができるので、各種サイズのシリンジのピストン部材をピストン押圧部材に保持することができる。
【図面の簡単な説明】
【図１】本発明の実施の形態の薬液注入装置で最大以外のサイズのシリンジのピストンフランジをピストンアダプタの補助爪で保持する状態を示す斜視図である。
【図２】シリンダ保持部材である注入ヘッドにシリンジを装着する状態を示す斜視図である。
【図３】薬液注入装置の外観を示す斜視図である。
【図４】ＭＲＩ装置の外観を示す斜視図である。
【図５】ピストン押圧部材にピストンアダプタを装着する状態を示す斜視図である。
【図６】ピストン押圧部材にピストンアダプタを装着する状態を示す斜視図である。
【図７】各種サイズのピストンフランジと補助爪との関係を示す縦断正面図である。
【図８】一従来例の薬液注入装置で注入ヘッドにシリンジを装着する状態を示す斜視図である。
【図９】ピストン押圧部材を示す斜視図である。
【符号の説明】
１００　　薬液注入装置
１０１　　シリンダ保持部材である注入ヘッド
１０６　　凹部
１０７　　シリンダアダプタ
１１２　　ピストン押圧部材
１１３　　係合爪
１２０　　ピストンアダプタ
１２１　　アダプタ本体
１２２　　保持部
１２３　　保持アーム
１２５　　位置保持機構である把持部
１２６　　補助爪
２００　　シリンジ
２０１　　シリンダ部材
２０２　　ピストン部材
２０３　　シリンダフランジ
２０４　　ピストンフランジ
【図１】
2004121467.tif 000003
【図２】
2004121467.tif 000004
【図３】
2004121467.tif 000005
【図４】
2004121467.tif 000006
【図５】
2004121467.tif 000007
【図６】
2004121467.tif 000008
【図７】
2004121467.tif 000009
【図８】
2004121467.tif 000010
【図９】
2004121467.tif 000011